【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
異なる日時で得られた複数の断層画像を演算処理することにより被検眼の観察を行うための眼科観察システムにおいて、
第１の眼科撮影装置によって，第１の撮像方式を用いて撮影された第１正面画像と，光干渉技術を用いて撮影された断層画像であって前記第１正面画像と関連付けられた第１の断層画像とを含む第１画像データと、第２の眼科撮影装置によって，第１の撮像方式とは異なる第２の撮像方式を用いて撮影された第２正面画像と，光干渉技術を用いて撮影された断層画像であって前記第２正面画像と関連付けられた第２の断層画像とを含む第２画像データと、を取得し各画像に付加された付帯情報と共に記憶する記憶部と、
前記記憶部に記憶された第１画像データと第２画像データとに基づいて前記演算処理を行う処理手段であって、各正面画像に付加された付帯情報を用いて，第１画像データにおける第１正面画像と第２画像データにおける第２正面画像とを同じ正面画像として扱う処理手段と、
を有することを特徴とする眼科観察システム。
【請求項２】
請求項１の眼科観察システムにおいて、
前記処理手段は、第１正面画像と第２正面画像との間の位置ずれ情報を検出し、
検出された位置ずれ情報と、第１の断層画像と第２の断層画像と、に基づいて検査日時の異なる断層像を比較解析する眼科観察システム。
【請求項３】
請求項１又は２の眼科観察システムにおいて、
前記第１の撮像方式、前記第２撮像方式は、
被検眼上でレーザ光を走査し、眼からの反射光を共焦点開口を介して受光して正面画像を得るレーザ走査型検眼装置（ＳＬＯ）、
被検眼でＯＣＴ測定光を走査し、眼からの反射光と参照光とが合成された光を受光して正面画像を得るＯＣＴ正面像撮像光学系、
被検眼に対して照明光を一体的に照射し、眼からの反射光を二次元撮像素子で受光して正面画像を得る眼底カメラ光学系、
のいずれかである眼科観察システム。
【請求項４】
請求項１〜３のいずれかの眼科観察システムにおいて、
前記処理手段は、前記第１正面画像及び前記第２正面画像の少なくともいずれかを拡大縮小して、第１正面画像と第２正面画像の間の倍率を一致させ、
前記第１断層画像及び前記第２断層画像の少なくともいずれかを拡大縮小して、第１断層画像と第２断層画像の深さ方向と横方向の倍率を一致させる眼科観察システム。
【請求項５】
異なる眼科撮影装置によって異なる日時で取得された複数の被検眼の画像を観察するための眼科観察システムであって、
被検眼画像を得るための光学系を備える第１の眼科撮影装置によって撮像された被検眼画像を含む第１画像データと、被検眼画像を得るための光学系であって、第１の眼科撮影装置とは異なる構成を有する光学系を備える第２の眼科撮影装置によって、第１画像データの取得時とは異なる日時で撮像された被検眼画像を含む第２画像データと、を取得し、各画像に付加された付帯情報と共に前記第１画像データと前記第２画像データを記憶部に記憶させ、前記記憶部に記憶された各画像データに付加された付帯情報を用いて，第１画像データと第２画像データとを同じ画像データとして扱う処理手段を有することを特徴とする眼科観察システム。
【請求項６】
異なる眼科撮影装置によって異なる日時で取得された複数の被検眼の画像を観察するための眼科観察システムであって、
被検眼画像を得るための光学系を備える第１の眼科撮影装置によって撮像された被検眼画像を含む第１画像データと、被検眼画像を得るための光学系であって、第２の眼科撮影装置によって、第１画像データの取得時とは異なる日時で撮像された被検眼画像を含む第２画像データと、を取得し、各画像に付加された付帯情報と共に前記第１画像データと前記第２画像データを記憶部に記憶させ、付帯情報に基づいて前記第１画像データと前記第２画像データを統合化し、統合された前記第１画像データの被検眼画像と前記第２画像データの被検眼画像との間の倍率を一致させるため、前記第１画像データの被検眼画像と前記第２画像データの被検眼画像の少なくともいずれかの倍率を変更する処理手段を有することを特徴とする眼科観察システム。
【請求項７】
異なる眼科撮影装置によって異なる日時で取得された複数の被検眼の画像を観察するための画像処理方法であって、
被検眼画像を得るための光学系を備える第１の眼科撮影装置によって撮像された被検眼画像を含む第１画像データを取得する第１画像データ取得ステップと、
被検眼画像を得るための光学系であって、第１の眼科撮影装置とは異なる構成を有する光学系を備える第２の眼科撮影装置によって、第１画像データの取得時とは異なる日時で撮像された被検眼画像を含む第２画像データを取得する第２画像データ取得ステップと、
各画像に付加された付帯情報と共に前記第１画像データと前記第２画像データを記憶部に記憶させる記憶ステップと、
前記記憶ステップにおいて記憶された各画像データに付加された付帯情報を用いて，第１画像データと第２画像データとを同じ画像データとして扱う処理ステップと、
を有することを特徴とする画像処理方法。
【手続補正２】
【補正対象書類名】明細書
【補正対象項目名】発明の名称
【補正方法】変更
【補正の内容】
【発明の名称】眼科観察システム及び画像処理方法
【手続補正３】
【補正対象書類名】明細書
【補正対象項目名】０００１
【補正方法】変更
【補正の内容】
【０００１】
本発明は、眼科撮影装置によって取得された画像を用いて被検眼を観察する眼科観察システム及び画像処理方法に関する。
【手続補正４】
【補正対象書類名】明細書
【補正対象項目名】０００７
【補正方法】変更
【補正の内容】
【０００７】
本発明は、上記問題点を鑑み、長期的な観察に対応できる眼科観察システム及び画像処理方法に関する。
【手続補正５】
【補正対象書類名】明細書
【補正対象項目名】０００９
【補正方法】変更
【補正の内容】
【０００９】
（１）  本開示の第１態様に係る眼科観察システムは、異なる日時で得られた複数の断層画像を演算処理することにより被検眼の観察を行うための眼科観察システムにおいて、第１の眼科撮影装置によって，第１の撮像方式を用いて撮影された第１正面画像と，光干渉技術を用いて撮影された断層画像であって前記第１正面画像と関連付けられた第１の断層画像とを含む第１画像データと、第２の眼科撮影装置によって，第１の撮像方式とは異なる第２の撮像方式を用いて撮影された第２正面画像と，光干渉技術を用いて撮影された断層画像であって前記第２正面画像と関連付けられた第２の断層画像とを含む第２画像データと、を取得し各画像に付加された付帯情報と共に記憶する記憶部と、前記記憶部に記憶された第１画像データと第２画像データとに基づいて前記演算処理を行う処理手段であって、各正面画像に付加された付帯情報を用いて，第１画像データにおける第１正面画像と第２画像データにおける第２正面画像とを同じ正面画像として扱う処理手段と、を有することを特徴とする。
（２）  本開示の第２態様に係る眼科観察システムは、異なる眼科撮影装置によって異なる日時で取得された複数の被検眼の画像を観察するための眼科観察システムであって、被検眼画像を得るための光学系を備える第１の眼科撮影装置によって撮像された被検眼画像を含む第１画像データと、被検眼画像を得るための光学系であって、第１の眼科撮影装置とは異なる構成を有する光学系を備える第２の眼科撮影装置によって、第１画像データの取得時とは異なる日時で撮像された被検眼画像を含む第２画像データと、を取得し、各画像に付加された付帯情報と共に前記第１画像データと前記第２画像データを記憶部に記憶させ、前記記憶部に記憶された各画像データに付加された付帯情報を用いて，第１画像データと第２画像データとを同じ画像データとして扱う処理手段を有することを特徴とする。
（３）  本開示の第３態様に係る眼科観察システムは、異なる眼科撮影装置によって異なる日時で取得された複数の被検眼の画像を観察するための眼科観察システムであって、被検眼画像を得るための光学系を備える第１の眼科撮影装置によって撮像された被検眼画像を含む第１画像データと、被検眼画像を得るための光学系であって、第２の眼科撮影装置によって、第１画像データの取得時とは異なる日時で撮像された被検眼画像を含む第２画像データと、を取得し、各画像に付加された付帯情報と共に前記第１画像データと前記第２画像データを記憶部に記憶させ、付帯情報に基づいて前記第１画像データと前記第２画像データを統合化し、統合された前記第１画像データの被検眼画像と前記第２画像データの被検眼画像との間の倍率を一致させるため、前記第１画像データの被検眼画像と前記第２画像データの被検眼画像の少なくともいずれかの倍率を変更する処理手段を有することを特徴とする。
（４）  本開示の第４態様に係る画像処理方法は、異なる眼科撮影装置によって異なる日時で取得された複数の被検眼の画像を観察するための画像処理方法であって、被検眼画像を得るための光学系を備える第１の眼科撮影装置によって撮像された被検眼画像を含む第１画像データを取得する第１画像データ取得ステップと、被検眼画像を得るための光学系であって、第１の眼科撮影装置とは異なる構成を有する光学系を備える第２の眼科撮影装置によって、第１画像データの取得時とは異なる日時で撮像された被検眼画像を含む第２画像データを取得する第２画像データ取得ステップと、各画像に付加された付帯情報と共に前記第１画像データと前記第２画像データを記憶部に記憶させる記憶ステップと、前記記憶ステップにおいて記憶された各画像データに付加された付帯情報を用いて，第１画像データと第２画像データとを同じ画像データとして扱う処理ステップと、を有することを特徴とする。